(57)【要約】【解決手段】  非金属／スチール心線に壊滅的な損傷をもたらすことなしに、複合伝送線路上に圧縮することができる電気コネクタ。この電気コネクタは、スリーブ、およびこのスリーブの圧縮を制限する圧縮レギュレータを有する。【選択図】図１
2010521777.tif 000002
【特許請求の範囲】
【請求項１】
下記のものを有する電気コネクタ：
非スチール心線の終端を受け入れるようにされた電気的に伝導性の金属材料および溝を有するスリーブ；
およびこのスリーブが非金属心線のまわりで放射方向に圧縮される場合に、非スチール心線が破壊されるのを防止する圧縮レギュレータ。
【請求項２】
前述のものは、さらに下記のものを有する請求項１記載の電気コネクタ：
爆発性材料を有する内破区域であって、この内破区域は、スリーブの部分を囲むもの。
【請求項３】
上記電気コネクタにおいて、その圧縮レギュレータは、非金属心線に隣接して位置された圧縮可能な材料である請求項１記載の電気コネクタ。
【請求項４】
上記電気コネクタにおいて、その圧縮レギュレータは、それぞれスリーブの内部表面から延びる、離間して間隔を置いた複数の区域である請求項１記載の電気コネクタ。
【請求項５】
上記電気コネクタにおいて、その圧縮レギュレータは、一緒に組み合わせられるスリーブの壁である請求項１記載の電気コネクタ。
【請求項６】
上記電気コネクタにおいて、そのスリーブは２部品を有する請求項１記載の電気コネクタ。
【請求項７】
上記電気コネクタにおいて、圧縮レギュレータは、先細りのスロットおよび増加した締まり嵌めによって先細りのスロット内に嵌まる先細りのくさびを有する請求項６記載の電気コネクタ。
【請求項８】
上記電気コネクタにおいて、その圧縮レギュレータは、スロットを有し、このスロット内に嵌るタブであって、そのタブはスロットより長さがより短い請求項６記載の電気コネクタ。
【請求項９】
上記電気コネクタにおいて、その圧縮レギュレータは、スリーブ内にギャップを有する請求項１記載の電気コネクタ。
【請求項１０】
下記のものをさらに有する請求項９記載の電気コネクタ：
前記ギャップ内における圧縮可能な材料。
【請求項１１】
上記電気コネクタにおいて、その圧縮レギュレータは、ブレーキ、または、溝でのスリーブの内部壁内のランド、および溝である請求項１記載の電気コネクタ。
【請求項１２】
上記電気コネクタにおいて、溝でのスリーブの内部壁は、溝から内部壁内に延びる複数の凹部を有している請求項１記載の電気コネクタ。
【請求項１３】
上記電気コネクタにおいて、その圧縮レギュレータは、圧縮に先立って相互から分離される複数の先細り部材であり、複数の凹部のそれぞれの１つ内に延びる請求項１２記載の電気コネクタ。
【請求項１４】
上記電気コネクタにおいて、溝が、その溝とスリーブの外部スライドとの間で少なくとも部分的にそれ自体を重ね合わせるスリーブの壁によって形成される請求項１記載の電気コネクタ。
【請求項１５】
上記電気コネクタにおいて、そのスリーブ区域は、一定の壁厚を有しない横断面形状を有する請求項１記載の電気コネクタ。
【発明の詳細な説明】
【技術分野】
【０００１】
この発明は、一般に、電気コネクタ、および伝送線路に電気コネクタを適用する方法に関する。より特別には、この発明は、非スチール心線（core）を有する伝送線路上に電気コネクタを内破する(implode)ことを有する。
【背景技術】
【０００２】
スチール心線上に電気コネクタを内破する方法が、「高電圧導体用の新しい内破コネクタ技術」、パシーニ、ＡＣおよびＤＣ電力伝送に関する第８回ＩＥＥＥ国際会議、英国ロンドン、サボイプレース、２００６年３月、に記述されている。
【０００３】
非金属心線、複合心線、および複合心線のための直線的に打込まれた（driven）くさびコネクタは、米国の特許公開番号２００４／０１８２５９７；２００４／００２６１１２；２００４／０１３１８５１；２００５／０００６１２９；２００５／０２２７０６７；２００６／００１６６１６；２００６／００５１５８０；および２００６／００８４３２７に記述されている。これらの文献のそれぞれは、引用によってそれらの全体が組み入れられる。
【０００４】
米国特許第４，５１１，２８０号は、非鳥かご（anti-bird cage）に入れるコネクタについて記述している。この文献は、その全体における引用によって、組み入れられる。
【発明の概要】
【０００５】
この発明の１つの態様は、複合心線伝送線路のような対象物体に電気コネクタを取付けることである。典型的には、非金属／スチール心線が、高い引張強さを有しているばかりでなく、スチールまたはより線スチールケーブルに満たない圧縮故障（compression failure）、または圧壊点を有している。例えば、カーボン複合心線材料は、約４０００ポンド／平方インチの圧縮故障、または圧壊点を有することができる。
【０００６】
強い摩擦力は、非スチール心線、および／または地表より上に伝送線路を保留しておくために、非スチール心線および電気コネクタによって保持される非スチール心線、および／または導体の間で必要である。したがって、非スチール心線は、電気コネクタを伝送線路に摩擦によって固定するために充分な圧縮力に耐えなければならず、非スチール心線、および／または導体の放射方向の圧縮の間に、非スチール心線が、壊滅的には破損されないように、なお制御される。
【０００７】
したがって、この発明は、カーボンベース心線のような、非金属、または非スチール心線上に放射方向に圧縮される電気コネクタに向けられている。１つの実施例において、電気コネクタは、直接、非スチール心線上にか、または非スチール心線に隣接して位置した導体上に、放射方向、または軸方向に内破する（imploded）ことができるスリーブを有する。液圧、または手動圧縮のような、他の放射方向圧縮メカニズムも、熟考される。
【０００８】
例えば、現在の電気コネクタは、電気的に伝導性の金属材料を備えたスリーブと、非スチール心線の終端を受入れるようにされた溝（channel）とを有することができる。このスリーブが、非金属心線の周囲に、軸方向に、または放射方向に圧縮される場合に、非スチール心線が圧壊されるのを防ぐ圧縮レギュレータを有することができる。爆発性(explosive）材料を有する内破区域は、スリーブの一部分を囲むことができる。このスリーブは、プラスチック、または金属であったり、さらには２つまたはそれ以上の別個の部品であることができる。
【０００９】
圧縮レギュレータは、非金属心線に隣接して位置した圧縮可能な材料であり、各々がスリーブの内部表面から延びる、複数の、別々に間隔を置いた区域であり、ともに組み合わせられるスリーブの壁であり、増加した締まり嵌めによって、先細りのスロット内に嵌る先細りのスロットおよび先細りのくさびであり、そのタブはスロットよりも長さでより短いスロット内にぴったりと嵌め込まれるスロットおよびタブであり、ギャップおよびスリーブのギャップ内の圧縮可能な材料であり、または、ブレーキ、または、領域（land）、および溝でのスリーブの内壁内の溝であることができる。
【００１０】
溝でのスリーブの内壁は、溝からの内壁内に延びる複数の凹部を有することができ、さらに、圧縮レギュレータは、圧縮に先立って相互から分離され、かつ、複数の凹部のそれぞれの１つ内に延びる複数の先細り部材を有することができる。溝は、この溝とスリーブの外側のスライドとの間でそれ自体を少なくとも部分的に重ねるスリーブの壁によって形成することができる。このスリーブ区域は、一定の壁厚を有しない横断面形状を有することができる。
【００１１】
この発明の前述の態様および他の特徴は、添付の図面に関して得られて、以下に続く記述において説明される：
図面の説明は以下のとおりである：
【図面の簡単な説明】
【００１２】
【図１】非金属心線の周りに包まれた非金属心線および導体を備えた伝送線路の端面図である；
【図２】図１において示される伝送線路の側面図である；
【図３】この発明の１つの実施例による電気コネクタおよび爆発性材料の横断側面図である；
【図４】この発明の第２の実施例による電気コネクタの横断端面図である；
【図５】この発明の第３の実施例による電気コネクタの横断端面図である；
【図６】この発明の第４の実施例による電気コネクタの横断端面図である；
【図７】この発明の第５の実施例による電気コネクタの横断端面図である；
【図８】この発明の第６の実施例による電気コネクタの横断端面図である；
【図９】この発明の第７の実施例による電気コネクタの横断端面図である；
【図１０】この発明の第８の実施例による電気コネクタの横断端面図である；
【図１１】この発明の第９の実施例による電気コネクタの横断端面図である；
【図１２】この発明の第１０の実施例による電気コネクタの側面図である；
【図１３】この発明の第１１の実施例による電気コネクタの横断側面図である；
【図１４】この発明の第１２の実施例による電気コネクタの横断側面図である；
【図１５】複合心線の周りに位置した第１３の実施例の電気コネクタの横断端面図である；
【図１６】この発明の第１４の実施例による電気コネクタの部分的な横断端面図である；
【図１７】この発明の第１５の実施例による電気コネクタの横断端面図である；
【図１８】この発明の第１６−実施例による非金属スリーブの分解組立斜視図である；
【図１９】この発明の第１７の実施例による電気コネクタの横断端面図である。
【発明を実施するための形態】
【００１３】
この発明は、一般に、非スチール心線、および／またはこの非スチール心線の周りに包まれた導体を有する電気的な伝送線路上に電気コネクタを取付けることに関する。
【００１４】
図１−２において、一般的に示されるように、この発明は、一般に、非スチール心線１２、および／または伝送線路Ｔの導体１４に接続するようにされる電気コネクタ１０（図３）に関する。導体１４は、アルミニウム、またはいくつかの他の適切な材料であることができ、さらには、１つの実施例においては、非スチール心線１２の周りに包まれたより線を有する。
【００１５】
図３−１９において全体に示されるように、各電気コネクタ１０（図３）は、一般に、スリーブ１６−１６Ｐおよび圧縮レギュレータを有する。このスリーブ１６−１６Ｐは、好ましくは、スチール、アルミニウム、プラスチック、導電性プラスチック、またはその他の適切な材料から造られ、かつ好ましくは、中空であり、圧縮可能（compressible）である。図３−１９に示されるスリーブ１６−１６Ｐは、図１および２に示される非スチール心線１２、または導体１４をおおって位置するようにされている。スリーブ１６−１６Ｐは、円筒状、または他の適切な形状であることができる外部表面１８−１８Ｐを画定することができる。
【００１６】
爆発性材料２０、２０Ａ（図３および８）は、スリーブ１６−１６Ｐの外部表面１８−１８Ｐに位置することができる。この爆発性材料２０、２０Ａは、スリーブ１６−１６Ｐの長さに沿って、またはスリーブ１６−１６Ｐの１つまたはそれ以上の外部表面１８−１８Ｐを覆って嵌り合う第２のスリーブの外部表面上に、対称的に、または非対称的に配置することができる。弾力性のスペーサ（図１４）は、スリーブ１６−１６Ｐの外部表面１８−１８Ｐと爆発性材料２０、２０Ａとの間に位置することができる。あらゆるスリーブ１６−１６Ｐは、さらに、追加の、内部のまたは外部の、スリーブ、くさび、またはラップを有することができる。
【００１７】
スリーブ１６−１６Ｐの内部表面２２−２２Ｐは、連続的で完全な表面を有することができる。代りに、図４−８、１１、１２、および１５−１９において示されるように、スリーブ１６Ａ−１６Ｅ、１６Ｈ、１６Ｉ、１６Ｌ−１６Ｐの、内部表面２２Ａ−２２Ｅ、２２Ｈ、２２Ｉ、２２Ｌ−２２Ｐは、さらにブレーキ２４、ギャップ２６、またはランド４０、および溝４２を画定することができる。
【００１８】
例えば、図３は、内部表面２２および外部表面１８を備えたスリーブ１６を有する電気コネクタ１０を示している。爆発性材料は、スリーブ１６の外部表面１８に隣接して位置している。
【００１９】
図４は、内部表面２２Ａおよび外部表面１８Ａを備えたスリーブ１６Ａを示す。割れ目（break）２４は、図１および２に示される心線１２および導体１４のような非スチール心線、または導体上のスリーブの放射方向の圧縮中にエネルギーを吸収するのを支援するために付加される。
【００２０】
図５に示されるように、スリーブ１６Ｂは、内部表面２２Ｂ、外部表面１８Ｂ、およびスリーブ１６Ｂの２つの対向する端縁の間に画定されたギャップ２６を備えた横断面のＣ形を画定することができる。圧縮可能な材料２８が、圧縮中に非スチール心線１２から外方に離れて圧縮されるように、対向する端縁は、相互に関して角度を有することができる。圧縮力のある材料２８は、内破の力を吸収するのを支援するためにギャップ２６内に位置することができる。ギャップ２６は、さらに、予め定められた力の量だけが内破中にスリーブ１６Ｂによって心線１２に及ぼされるように、寸法どりすることができる。圧縮力ある材料２８は、その特別な圧縮性によって選択することができる。
【００２１】
図６は、この発明による他のスリーブを１６Ｃ示している。スリーブ１６Ｃは、通常、別々に間隔を置かれるか、またはスリーブ１６Ｃの内破に先立って、相互に直接触れないスリーブ１６Ｃの内部表面２２Ｃ上に位置された、いくつかの金属、または非金属区域３０を有する。金属、または非金属区域３０は、いくつかの区域３０から延びるアンカ３４を受入れることができる、柔軟で、恐らく犠牲的な（sacrificial）重ね成形３２によって一緒に保持することができる。代りに、その金属、または非金属区域３０は、類似材料の圧縮性重ね成形３２によって一体に形成するができる。いくつかの区域３０は、その重ね成形３２が爆発物（図示せず）によって内破されるので、その区域は、相互に阻止するように、くさび形であることができる。この阻止は、心線１２上の圧縮力を制限すると考えられる。
【００２２】
図７は、それ自体重なり合うスリーブ１６Ｄを示す。ゴムまたはプラスチックのような柔軟性材料３６を、外部表面１８Ｄを形が一定であるようにするために重なり合う端縁間に形成された被蓋咬合(overbite)内に充填することができる。非対称の外部表面については、爆発性材料（明瞭さのために図示せず）は、重なり合う金属を補償するために、スリーブ１６Ｄの外部表面１８Ｄ上に配置することができる。さらに、この被蓋咬合に隣接しているスリーブ１６Ｄの内部表面２２Ｄ端縁は、心線１２の貫通を防止するのを支援するために丸くすることができる。
【００２３】
図８は、スリーブ１６Ｅの外部表面１８Ｅに隣接して位置する区分けされた（segmented）爆発性材料２０Ａを備えたスリーブ１６Ｅを描いている。この区分けされた爆発性材料２０Ａは、同時に、または区分け内で爆破させて、スリーブ１６Ｅの内部表面２２Ｅに隣接している非スチール心線１２が砕かれることを防止するのを支援することができる。このスリーブ１６Ｅは、さらに、内破中にスリーブ１６Ｅのより一層制御された圧縮を可能にするために、２つの角度のある線として示されるように区分される。
【００２４】
図９におけるスリーブ１６Ｆは、このスリーブ１６Ｆの内部表面２２Ｆ上の外部表面１８Ｆ、および金属、非金属、または半金属材料３８を有する。材料３８は、導電性プラスチック、非スチール心線１２、摩耗性のスポンジ、ステンレススチール、鉛、または鉛フリーはんだ、エポキシ、または樹脂、またはその他のある適切な材料であることができる。心線１２と材料３８との間の接合は、心線１２と、化学的に類似した、または化学的に、または熱的に反応的である材料を使用することによって、増強される。さらに、その材料が弾力のある場合、非金属心線１２の圧縮は、その圧縮破壊点を超えて、縮小されることができる。
【００２５】
図１０に示されるように、スリーブ１６Ｇは、ランド４０および溝４２を画定する外部表面１８Ｇ、および内部表面２２Ｇを有することができる。ランド４０および溝４２は相互に平行であることができ、さらには、螺旋状をなして旋条をつけたパターンを形成することができる。心線１２、または導体１４（図２）上におけるスリーブ１６Ｇの内破中に、心線１２上における、等しくかつ対向する圧縮力があるように、ランド４０は、相互に対向して位置することができる。
【００２６】
図１１は、この発明の他の実施例である。スリーブ１６Ｈは、外部表面１８Ｈ、内部表面２２Ｈ、および丸みを付けたスロット４４の深さよりも長さで、より短い、丸みを付けたタブ４６を受入れる、丸みを付けたスロット４４を画定することができる。スリーブ１６Ｈは、非スチール心線１２、または導体１４のまわりで圧縮することができ、さらにはスロット４４、タブ４６、または表面４８Ａ、４８Ｂは、内破、または他の適切な放射方向の圧縮中に、可能である圧縮の量を制限する。
【００２７】
図１２は、スリーブ１６Ｉの端縁５２Ａ、５２Ｂによって画定された外部表面１８Ｉおよび鋸歯状の継ぎ目５０を有するスリーブ１６Ｉを示している。端縁５２Ａ、５２Ｂは、相互に関してその端縁５２Ａ、５２Ｂの移動を可能にする歯および溝を画定することができるが、しかし、内破中、端縁５２Ａ、５２Ｂの所定距離への移動を制限する。この歯と溝は、スリーブ１６Ｉが圧縮されるにつれて、増加する締まり嵌めを形成するために先細りであることができる。
【００２８】
図１３および１４に示されるように、外部表面１８Ｊ、１８Ｋまたはスリーブ１６Ｊおよび１６Ｋ、内部表面２２Ｊ、２２Ｋは、外観で先細りであることができる。図１４に示されるプラスチックＰは、スリーブ１６−１６Ｏの外部表面上に配置することができる。
【００２９】
図１５は、非スチール心線１２の外部表面のまわりを包まれた導体１４に、鳥かごに入れること（bird-caging）を防止するために提供される内部のランド４０Ｌおよび溝４２Ｌを備えたスリーブ１６Ｌを示している。図１５の実施例において、ランド４０Ｌおよび溝４２Ｌは、スリーブに１６Ｌの内部表面２２Ｌ内に食い込み、さらに、外部表面１８Ｌは、形状が同一であることができる。代りに、内部表面２２Ｌは滑らかであるか、またはランド４０Ｌおよび溝４２Ｌを有することができる。
【００３０】
図１６は、１つのコネクタ部品上のタブ４６Ｍおよび第２のコネクタ部品上のスロット５４Ｍを備えたスリーブ１６Ｍを示している。このタブ４６Ｍは、スロット５４Ｍのギャップ幅ＧＷより大きな幅を有する。この第２のコネクタ部品は、さらに、第１および第２のコネクタ部品が、２つの部分スリーブ１６Ｍの外部表面１８Ｍ上に位置された爆発性チャージによるように、放射方向の圧縮によって一緒に打ち込まれる（drive）とともに、タブ４６Ｍから金属削りくずを受け入れることができる凹部５６を画定することができる。直立した壁５８は、圧縮中に、タブ４６Ｍから遠ざかるように曲がることを防止することができるには充分に厚いということができる。内部表面２２Ｍは、滑らかであるか、またはランド４０Ｍおよび溝４２Ｍを有することができる。外部表面１８Ｍは、断面においては非均一（non-uniform）で、一様であることができる。タブ４６Ｍおよびスロット５４Ｍは、それらが一緒に圧縮されるとともに、増加する締まり嵌めを形成することができる。
【００３１】
図１７は、対向したタブ４６Ｎおよびスロット５４Ｎを備えた２つまたはそれ以上の部品スリーブ１６Ｎを示している。タブ４６Ｎは、好ましくは、対応する先細りであるスロット５４Ｎより先細り幅においてわずかに大きい。タブ４６Ｎおよびスロット５４は、それらが一緒に圧縮されるとともに、増加する締まり嵌めを形成することができる。内部表面２２Ｎは、滑らかであるか、またはランド４０Ｎおよび溝４２Ｎを有することができる。外部表面１８Ｍは、断面においては非均一で、一様であることができる。以下に議論されるように、スリーブセパレータを有することができる。
【００３２】
図１８は、図１７のスリーブ１６Ｎに類似する非金属内部スリーブ１６Ｏである。このスリーブ１６Ｏは、外部金属スリーブ（図示せず）の内部で嵌合することができる圧縮レギュレータである。スリーブ１６Ｏおよび外部金属スリーブの両方が、圧縮される。非金属スリーブは、非スチール心線１２（図１）と接触し、さらに、外部金属スリーブは、導体１４（図１）と電気接続をする。上に議論された爆発性材料２０、２０Ａは、外部金属スリーブのまわりに位置することができる。
【００３３】
図１９は、３部品のスリーブ１６Ｐを示している。この３部品のスリーブは、図１７において示されるスリーブ１６Ｎに類似する。製造の均一性のために、取外し可能な、または犠牲のスペーサ６０を有することができる。スリーブ１６Ｐの内部表面２２Ｐは、滑らかであるか、またはランド４０Ｐおよび溝４２Ｐを有することができる。外部表面１８Ｐは、断面においては非均一で、一様であることができる。
【００３４】
この発明の多くの修正、および他の実施例が、先の記述および関連する図面に表わされた教示の利益を有する当業者の精神に意識されよう。例えば、スリーブ１６−１６Ｐは、地上から離れて伝送線路をなお保持する心線故障を防止する予め規定された圧縮力に対して、液圧ツールによって、手動で、またはトルククランプによって、圧縮され、かつ、トルクを与えられることができる。したがって、この発明が、開示され、例証された実施例に限定されるべきではないこと、さらには、他の修正および実施例が、この開示の精神および範囲内に含まれるように意図されることは理解されよう。上に記述された様々な実施例の特徴の組合せが、他の実施例においても有することができる。
【図１】
2010521777.tif 000003
【図２】
2010521777.tif 000004
【図３】
2010521777.tif 000005
【図４】
2010521777.tif 000006
【図５】
2010521777.tif 000007
【図６】
2010521777.tif 000008
【図７】
2010521777.tif 000009
【図８】
2010521777.tif 000010
【図９】
2010521777.tif 000011
【図１０】
2010521777.tif 000012
【図１１】
2010521777.tif 000013
【図１２】
2010521777.tif 000014
【図１３】
2010521777.tif 000015
【図１４】
2010521777.tif 000016
【図１５】
2010521777.tif 000017
【図１６】
2010521777.tif 000018
【図１７】
2010521777.tif 000019
【図１８】
2010521777.tif 000020
【図１９】
2010521777.tif 000021
【国際調査報告】
2010521777.tif 000022
2010521777.tif 000023